(57)【要約】      （修正有）【課題】そのプラグ部が本体部に対し回動可能だけでなく、その本体部のプラグ部との連結位置も移動できて使用時の重心位置が調整できる電源接続器を提供する。【解決手段】本体部１とプラグ部２との二部に分けられ、且つこの二部分が回り対偶になるように連結されている電源接続器において、前記本体部の表面に摺動溝３が形成されており、又、前記プラグ部は前記摺動溝に摺動したり回動したりすることができるように取り付けられている。【選択図】図１
0003117098.tif 000002
【実用新案登録請求の範囲】
【請求項１】
本体部とプラグ部との二部に分けられ、且つこの二部分が回り対偶になるように連結されている電源接続器において、
前記本体部の表面に摺動溝が形成されており、又、前記プラグ部は前記摺動溝に摺動したり回動したりすることができるように取り付けられていることを特徴とする電源接続器。
【請求項２】
少なくとも前側面と該前側面に連続している下側面とを有する本体部と、プラグ部との二部に分けられ、且つこの二部分が回り対偶になるように連結されている電源接続器において、
前記前側面の中央近くから前記下側面の中央近くまでに摺動溝が延在しており、又、前記プラグ部は前記摺動溝に摺動したり回動したりすることができるように取り付けられていることを特徴とする電源接続器。
【請求項３】
前記摺動溝は、その両端近くが、摺動してそれらに入った前記プラグ部と緊迫的結合になるように形成されていることを特徴とする請求項２に記載の電源接続器。
【請求項４】
前記本体部は、前記プラグ部が、摺動して前記摺動溝の両端近くに入った状態だけで、前記プラグ部を介して電気を導通することが出来るように構成されていることを特徴とする請求項３に記載の電源接続器。
【請求項５】
前記摺動溝の左右両側面にそれぞれ互いに対応し且つ前記摺動溝の延在方向に沿っている案内溝が形成してあり、また前記プラグ部の左右両側にそれぞれ前記案内溝内に延びていて摺動したり回動したりすることができる突起が形成してあることを特徴とする請求項４に記載の電源接続器。
【請求項６】
前記本体部内に前記プラグ部を介して電気が導通されると機能する転換手段が設けられていることを特徴とする請求項１または２に記載の電源接続器。
【請求項７】
前記本体部は、前記下側面の反対側において更に前記前側面に連続している端子孔付きの上側面を有し、また、前記転換手段は、トランスが組み込まれている電源回路を有する回路基板と、その自由端が前記端子孔から露出するように前記回路基板の出力側に設置されている出力端子とを備えたことを特徴とする請求項６に記載の電源接続器。
【請求項８】
前記上側面に、前記端子孔がその底面にあり、且つその幅が、外部から前記端子孔から出ている前記出力端子と接続して前記転換手段の出力を受けるように電気製品を入れられると共に、該電気製品を前記底面上に保持することができる保持溝が形成してあることを特徴とする請求項７に記載の電源接続器。
【考案の詳細な説明】
【技術分野】
【０００１】
本考案は、電源接続器に関し、更に詳しくは、電源コンセントに挿入されると電気の導通、転換または他の機能を果たすことができる電源接続器に関する。
【背景技術】
【０００２】
従来、一般の電気製品は、電気プラグないし変圧器または他の転換器を介して電源コンセントや他の給電用コンセントと接続し、所定の形の電気を受ける。かかる電気プラグないし変圧器または他の転換器は、概して電源接続器と呼ばれるが、通常は、本体部と、その一端部が本体部の一端に連結されているプラグ部とからなっているものである上、前記本体部とプラグ部との間の連結が回り対偶になり、例えばそのプラグ部の後端部が本体部の前端に形成してある左右一対の突起の間に挿入し、且つそこで該左右一対の突起に挟まれると共に前後回動可能に枢止されていて電源コンセントや他の給電用コンセントの場所によって変形できて使用に便利であるものもある。
【０００３】
前述の変形可能な電源接続器は、その変形で、空間が狭い場合であっても容易に使用されるが、前記のように、プラグ部が本体部の一端に設けられているため、電源接続器全体の重心がプラグ部の電源コンセントとの接続箇所の近傍でなく、本体部の方に偏り、特に重さのかなり高い変圧器の場合、プラグ部の電源コンセントとの接続箇所に大きなトルクがかかり、プラグ部にストレスを掛けてそれと電源コンセントとの接触を不良にさせたり、ひいてはプラグ部を電源コンセントから離脱させ、電源接続器全体を落ちさせ壊れさせる可能性が高い。
【考案の開示】
【考案が解決しようとする課題】
【０００４】
上記に鑑みて、本考案は、そのプラグ部が本体部に対し回動可能だけでなく、その本体部のプラグ部との連結位置も移動できて使用時の重心位置が調整できる電源接続器を提供することを目的とする。
【課題を解決するための手段】
【０００５】
上記目的を達成するために、本考案は、本体部とプラグ部との二部に分けられ、且つこの二部分が回り対偶になるように連結されている電源接続器において、前記本体部の表面に摺動溝が形成されており、又、前記プラグ部は前記摺動溝に摺動したり回動したりすることができるように取り付けられていることを特徴とする電源接続器を提供する。
【０００６】
前記構成の電源接続器として、前記本体部は少なくとも前側面と該前側面に連続している下側面とを有し、且つ前記前側面の中央近くから前記下側面の中央近くまでに摺動溝が延在しており、又、前記プラグ部は前記摺動溝に摺動したり回動したりすることができるように取り付けられている実施形態が挙げられる。
【０００７】
該実施形態の電源接続器において、前記摺動溝は、その両端近くが、摺動してそれらに入った前記プラグ部と緊迫的結合になるように形成されているものが好ましく、前記本体部は、前記プラグ部が、摺動して前記摺動溝の両端近くに入った状態だけで、前記プラグ部を介して電気を導通することが出来るように構成されているものがより好ましく、さらに、前記摺動溝はその長手方向と直交する左右両側面にそれぞれ案内溝が形成されており、且つ前記プラグ部の左右両側にそれぞれ前記案内溝内に延びていて摺動したり回動したりすることができる突起が形成してあるものが更に好ましい。
【０００８】
そしてまた、前記本体部内に前記プラグ部を介して電気が導通されると機能する転換手段が設けられていることを採用しても良い。この場合に、前記本体部は、前記下側面の反対側において更に前記前側面に連続している端子孔付きの上側面を有し、また、前記転換手段は、トランスが組み込まれている電源回路を有する回路基板と、その自由端が前記端子孔から露出するように前記回路基板の出力側に設置されている出力端子とを備えるものが挙げられる。
【０００９】
また一方、前記上側面に、前記端子孔がその底面にあり、且つその幅が、外部から前記端子孔から出ている前記出力端子と接続して前記転換手段の出力を受けるように電気製品を入れられると共に、該電気製品を前記底面上に保持することができる保持溝が形成してあるものも挙げられる。
【考案の効果】
【００１０】
上記構成による本考案の電源接続器では、そのプラグ部を電源コンセントに挿入する時に、本体部の表面に形成してある摺動溝を利用することにより、使用場所に応じ、プラグ部を回動して電源接続器全体を変形させることができるばかりでなく、前記摺動溝に沿うようにプラグ部と本体部との連結箇所を全体の重心位置に近付かせることもできるので、プラグ部にストレスを掛けてそれと電源コンセントとの接触を不良にさせたり、ひいてはプラグ部を電源コンセントから離脱させ、電源接続器全体を落ちさせ壊れさせる従来の電源接続器の欠点を解消することができる。
【考案を実施するための最良の形態】
【００１１】
以下、図面を参照しながら，本考案に係る電源接続器の実施形態を説明する。まず、本考案の実施形態における電源接続器は、図２に示すよに、変圧機能を具備し、且つ携帯電話などの携帯情報機器に所望の電源電圧を供給することができるものであって、従来の電源接続器のように、主として本体部１と、その前側面の左右両側にそれぞれプラグ端子２２が突出するように設置されている上、後端部で前記本体部１の前端部と回り対偶になるように枢接されているプラグ部２との二部からなっている。そのプラグ部２は本体部１に対し回動することができるばかりでなく、摺動により本体部１の前方から下方へ移動することもできる。図面から分かるように、本体部１の前側面１１１の中央近くから下側面１１２の中央近くまでに摺動溝３が延在しており、且つ、プラグ部２は摺動溝３に摺動したり回動したりすることができるように取り付けられている。
【００１２】
詳しく説明すると、本体部１は、図１に示すように、上へ開口し且つその前側面が本体部１全体の前側面１１１となっており、その前記前側面に連続している下側面が本体部１全体の下側面１１２になっている下ハウジング１１と、上から下へ前記開口を覆うように下ハウジング１１と結合していてその上側面が本体部１全体の下側面１１２の反対面であり、且つ本体部１全体の前側面１１１に連続している端子孔１２２付きの上側面１２１になっている上ハウジング１２と、本体部１内に設けられており、プラグ部２を介して電気が導通されると機能する転換手段１３とからなっている。そして、前記摺動溝３は、実際は、下ハウジング１１の前側面（即ち本体部１全体の前側面１１１）の中央近くから下側面（即ち本体部１全体の下側面１１２）の中央近くまでに延在しており、且つ、その両端近くが、摺動してそれらに入ったプラグ部２と緊迫的結合になるように形成されている上、この摺動してその両端近くに入った状態だけで、プラグ部２を介して電気を導通することができるように構成されている。
【００１３】
本実施形態においては、図１、図２及び図５を参照してもっと詳しく説明すると、摺動溝３は本体部１の前側面１１１の中央近くから下側面１１２の中央近くまでに延在しているばかりでなく、その左右両側面にそれぞれ互いに対応し且つ前記摺動溝３の延在方向に沿っている案内溝３１が形成してあり、また、プラグ部２の左右両側にそれぞれ前記案内溝３１内に延びていて摺動したり回動したりすることができる突起２１が形成してある。
【００１４】
図のように、この実施形態において、プラグ部２の前側面の左右両側にそれぞれあるプラグ端子２２は、その根元近くがプラグ部２の左右両側面中の対応面に固定されている上、その後端縁２２１が張出しになって対応の案内溝３１内に突入している。また、各案内溝３１は、前側面１１１と平行している直立部３１１と、下側面１１２にと平行している水平部３１２と、その両端がそれぞれ直立部３１１と水平部３１２とにスームスに連続しているカーブ部３１３との三部分からなっており、且つ直立部３１１の上端と水平部３１２の後端とにそれぞれ第一の取付口５１と第二の取付口５２とが形成してあり、それらにはそれぞれ第１の金属端子１４１と第２の金属端子１４２が取付けられている。図示のように、第１の金属端子１４１と第２の金属端子１４２は、いずれも、弾性を具備し且つ案内溝３１内に少し突出していて、プラグ部２が摺動して摺動溝３のそれらがある両端近くのいずれに入った時、他のそれと対応している第１の金属端子１４１または第２の金属端子１４２と併せてプラグ部２の左右両側にそれぞれあるプラグ端子２２の後端縁２２１を左右両側から挟持し、プラグ部２と緊迫的結合になり、且つプラグ端子２２と電気的連続関係になることができる（図４参照）。また、図面に示されているのは互いに独立しているが、第一の金属端子１４１と第二の金属端子１４２とは、一体になるように形成されてもよい。
【００１５】
一方、図１及び図３に示すように、前記のように左右一対になっている案内溝３１は、上枠３１４と下枠３１９と左側枠３１５と右側枠３１６と前側枠３１７と後側枠３１８とから囲まれてなっている。上枠３１４と下枠３１９とは上下互いに平行している。左側枠３１５と右側枠３１６とは左右互いに平行している。上枠３１４の左右両側はそれぞれ第一の取付口５１と第二の取付口５２とを上方から覆うように左側枠３１５と右側枠３１６とに支持されている。また、上枠３１４の前後両端はそれぞれ前側枠３１７及び後側枠３１８に着脱可能に係止されている。また、下ハウジング１１と上ハウジング１２とは、ボルト４の螺合で連結されている。上記の詳細機構は、実施形態例であるだけであるので、本考案の応用はもちろんそれらに限られない。
【００１６】
また、図１ないし図２を参照して、転換手段１３は、上ハウジング１２と上枠３１４との間に固設されており、且つトランスが組み込まれている電源回路を有する回路基板１３１と、その自由端が端子孔１２２から露出するように回路基板１３１の出力側に設置されている出力端子１３２と、その自由端が第１及び第２の金属端子１４１，１４２に接続されるように回路基板１３１の入力側に設置されている電気コード１３３とからなっている。そして、その上側面１２１に、端子孔１２２がその底面にあり、且つその幅が、外部から端子孔１２２から出ている出力端子１３２と接続して転換手段１３の出力を受けるように電気製品を入れられると共に、該電気製品を底面上に保持することができる保持溝１２３が形成してあるので、その使用が極めて便利である。
【００１７】
転換手段１３は、場合により他の機能を有するものにされても良い。例えば、本考案の電源接続器は一般の電気コード等における電気プラグとされる場合（図示せず）、この転換手段１３は電気コードと金属端子１４とを電気的に導通させることができるものだけで足りる。
【００１８】
また、図２に示すように、プラグ部２は、摺動溝３の前側面１１１にある一端に入った場合、左右両側の第一の金属端子１４１に緊迫的挟持されていると共に、前側面１１１の中央近傍から前方へ突出するようにコンセントに挿入し保持されることができる。それから、図６に示すように、前記のような状態においてプラグ部２を摺動溝３の前側面１１１にある一端から下側面１１２にある他端へ移動しようとする時、第一の金属端子１４１の挟持力に抗して少し力を入れ、プラグ部２を該一端から離脱させてから摺動溝３のカーブ部３１３を曲がさせて下へ摺摺動させる。即ち、摺動溝３の直立部３１１から、カーブ部３１３を経由して水平部３１２にある他端に入らせて挟持させることができる。そうすると、プラグ部２は、下側面１１２の中央近傍から下方へ突出するようになり、電源コンセント（図示せず）にその前後両端がバナンスよくとれるように挿入し保持されることができるので、プラグ部２の電源コンセントとの接続箇所に大きなトルクを発生させ難く、電源接続器の接触の不良や、電源コンセントから離脱して落ちるのを避けることができる。
【産業上の利用可能性】
【００１９】
上記のように構成される本考案の電源接続器は、各種の電源コンセントの設置位置または使用状況に対応して、その表面の摺動溝にプラグ部を移動しその全体を変形させることにより、従来の電源コンセントとの接触不良、電源コンセントからの離脱乃至損害などの障害を解消することが出来ばかりでなく、摺動溝の組成は簡単で、且つ電気プラグ、充電器、変圧器などの電源接続器に広範囲に使用されることができ、使用寿命の増進が叶える。
【図面の簡単な説明】
【００２０】
【図１】本考案の電源接続器の実施形態を示す分解斜視図
【図２】本考案の電源接続器の右面側から見た断面図
【図３】本考案の実施形態を示す部分斜視図、プラグ部は摺動溝の一端近くに入った場合を説明する
【図４】本考案の実施形態を示す部分平面図
【図５】本考案の電源接続器の底面側から見た斜視図、プラグ部は摺動溝の他端近くに入った場合を説明する
【図６】本考案の電源接続器の右面側から見た断面図
【符号の説明】
【００２１】
１      本体部
１１    下ハウジング
１１１  前側面
１１２  下側面
１２    上ハウジング
１２１  上側面
１２２  端子孔
１２３  保持溝
１３    転換手段
１３１  回路基板
１３２  出力端子
１３３  電気コード
１４１  第一の金属端子
１４２  第二の金属端子
２      プラグ部
２１    突起
２２    プラグ端子
２２１  後端縁
３     
摺動溝
３１    案内溝
３１１  直立部
３１２  水平部
３１３  カーブ部
３１４  上枠
３１５  左側枠
３１６  右側枠
３１７  前側枠
３１８  後側枠
３１９  下枠
４     ボルト
５１   第一の取付口
５２    第二の取付口
【図１】
0003117098.tif 000003
【図２】
0003117098.tif 000004
【図３】
0003117098.tif 000005
【図４】
0003117098.tif 000006
【図５】
0003117098.tif 000007
【図６】
0003117098.tif 000008